(57)【要約】【課題】多段給紙構成及びＵターンガイド部を有し、かつコンパクトな記録装置を提供する。【解決手段】第１及び第２の記録媒体積載部６、７から第１及び第２の給紙ローラ１０、１６によって給紙された記録媒体は、第１及び第２の給紙部搬送ローラ１２、１８と第１及び第２の給紙部記録媒体搬送ガイド２１、２２により搬送される。第１及び第２の給紙部記録媒体搬送ガイド２１、２２はＵ字状に湾曲しており、互いと合流している。合流点の搬送方向下流には中間搬送ローラ１４及び主搬送ローラ２がある。中間搬送ローラ１４近傍でガイドは直線状であり、また中間搬送ローラ１４は記録媒体の幅方向中心に近い位置で記録媒体と接触する。【選択図】図１
2014047069.tif 000002
【特許請求の範囲】
【請求項１】
記録媒体に画像を記録する記録ヘッドと、前記記録媒体を積載する第１及び第２の記録媒体積載部と、前記第１及び第２の記録媒体積載部から給紙された前記記録媒体を搬送方向下流に搬送する第１及び第２の給紙部搬送ローラと、前記第１及び第２の給紙部搬送ローラによって搬送された前記記録媒体をガイドし、搬送方向下流の合流点で互いと合流する第１及び第２の給紙部記録媒体搬送ガイドと、前記合流点の搬送方向下流に位置する中間搬送ローラと、前記中間搬送ローラの搬送方向下流に位置する主搬送ローラと、前記合流点から前記中間搬送ローラまで前記記録媒体をガイドする第３の給紙部記録媒体搬送ガイドと、前記中間搬送ローラから前記主搬送ローラまで前記記録媒体をガイドする搬送部記録媒体搬送ガイドと、を有し、
前記第１及び第２の給紙部記録媒体搬送ガイドは、前記中間搬送ローラにおける前記記録媒体の搬送方向が前記第１及び第２の給紙部搬送ローラにおける前記記録媒体の搬送方向と逆向きになるように湾曲しており、前記第３の給紙部記録媒体搬送ガイド及び前記搬送部記録媒体搬送ガイドは前記中間搬送ローラ近傍で直線状であり、前記中間搬送ローラは前記主搬送ローラ及び前記第１及び第２の給紙部搬送ローラよりも前記記録媒体の幅方向中心に近い位置で前記記録媒体と接触する、記録装置。
【請求項２】
前記中間搬送ローラによる前記記録媒体の搬送速度は、前記第１及び第２の給紙部搬送ローラによる前記記録媒体の搬送速度より速く、前記主搬送ローラによる前記記録媒体の搬送速度と同じである、請求項１に記載の記録装置。
【請求項３】
前記主搬送ローラが記録動作時とは逆方向に回転するときに、前記主搬送ローラから前記第１及び第２の給紙部搬送ローラのうちいずれか一つへと、前記中間搬送ローラを経由せずに前記記録媒体を表裏を反転させてガイドする記録媒体逆転搬送ガイドを有し、
前記主搬送ローラから前記記録媒体逆転搬送ガイドを通じて前記第１及び第２の給紙部搬送ローラのうちいずれか一つへとガイドされた前記記録媒体は再び前記主搬送ローラに到達するように構成されている、請求項１または２に記載の記録装置。
【請求項４】
前記記録媒体の先端が前記主搬送ローラに到達したときに、前記記録媒体の後端が前記第１及び第２の給紙部搬送ローラのうちいずれか一つをすでに通過している、請求項１から３のいずれか１項に記載の記録装置。
【発明の詳細な説明】
【技術分野】
【０００１】
本発明は、記録手段により記録媒体に記録を行う記録装置に関する。
【背景技術】
【０００２】
記録手段を使用し記録媒体に記録を行う記録装置は、記録実行に際して、記録媒体積載部から記録媒体を給紙し、給紙した記録媒体を記録手段により記録を行う記録部に搬送した後、搬送された記録媒体に記録手段により記録を行う、という動作を行う。
【０００３】
この記録媒体の給紙、搬送動作において、記録媒体が斜めに給紙、搬送されることがあるため、記録部に記録媒体が到達する前に斜行矯正動作を行う。
【０００４】
斜行矯正動作とは、例えば、搬送ローラのニップ部に記録媒体の先端を噛みこませた後、その搬送方向上流に位置する上流ローラを停止させる一方、搬送ローラを搬送方向に対して逆転させる。そして、搬送ローラと上流ローラの間で撓んだ記録媒体の剛性を利用して、記録媒体の先端を搬送ローラのニップ部に突き当てて揃え、その後各ローラを搬送方向に正転する動作を行うものである。
【０００５】
所謂Ｕターン給紙とは、記録媒体の積載部から記録部までの記録媒体搬送路が湾曲し、記録媒体の給紙の向きと、記録部における記録媒体搬送の向きが水平方向において逆向きとなるような給紙様式である。Ｕターン給紙においては、記録媒体は湾曲したガイドの外側の面に沿って予め屈曲した状態で搬送されるため、上述の斜行矯正動作は、記録媒体の撓み量がガイド面に規制されて十分に機能しないことが多い。そのためＵターン給紙の斜行矯正構成については従来から様々な提案が行われてきた。
【０００６】
例えば、特許文献１においては、斜行矯正動作に必要な記録媒体撓みスペースを確保するために、記録媒体をガイドするＵターンガイド部の一部を所定の付勢力を持った可動ガイドにすることが提案されている。可動ガイドが撓んだ記録媒体によってＵターン外側に押されることによりガイド部内の空間が広がる。
【先行技術文献】
【特許文献】
【０００７】
【特許文献１】特開２００９−２０８２７２号公報
【発明の概要】
【発明が解決しようとする課題】
【０００８】
しかしながら、特許文献１では、予めＵターンガイド部が可動するスペースを確保してＵターンガイド部を構成するため、装置のコンパクト化が難しいという問題があった。とりわけ複数の記録媒体積載部を持つ多段給紙構成を持つ場合は、それが顕著であった。
【０００９】
本発明では、多段給紙構成及びＵターンガイド部を有し、かつコンパクトな記録装置を提供することを目的とする。
【課題を解決するための手段】
【００１０】
本発明の記録装置は、記録媒体に画像を記録する記録ヘッドと、前記記録媒体を積載する第１及び第２の記録媒体積載部と、前記第１及び第２の記録媒体積載部から給紙された前記記録媒体を搬送方向下流に搬送する第１及び第２の給紙部搬送ローラと、前記第１及び第２の給紙部搬送ローラによって搬送された前記記録媒体をガイドし、搬送方向下流の合流点で互いと合流する第１及び第２の給紙部記録媒体搬送ガイドと、前記合流点の搬送方向下流に位置する中間搬送ローラと、前記中間搬送ローラの搬送方向下流に位置する主搬送ローラと、前記合流点から前記中間搬送ローラまで前記記録媒体をガイドする第３の給紙部記録媒体搬送ガイドと、前記中間搬送ローラから前記主搬送ローラまで前記記録媒体をガイドする搬送部記録媒体搬送ガイドと、を有し、前記第１及び第２の給紙部記録媒体搬送ガイドは、前記中間搬送ローラにおける前記記録媒体の搬送方向が前記第１及び第２の給紙部搬送ローラにおける前記記録媒体の搬送方向と逆向きになるように湾曲しており、前記第３の給紙部記録媒体搬送ガイド及び前記搬送部記録媒体搬送ガイドは前記中間搬送ローラ近傍で直線状であり、前記中間搬送ローラは前記主搬送ローラ及び前記第１及び第２の給紙部搬送ローラよりも前記記録媒体の幅方向中心に近い位置で前記記録媒体と接触する。
【発明の効果】
【００１１】
本発明の記録装置は、２つの記録媒体積載部から給紙される記録媒体が搬送される２つの搬送経路を有する。２つの搬送経路は搬送方向下流で合流し、その合流点のさらに下流には中間搬送ローラが位置する。２つの搬送経路は中間搬送ローラにおける記録媒体の搬送方向が第１及び第２の給紙部搬送ローラにおける記録媒体の搬送方向と逆向きになるように、すなわちＵ字状に湾曲している。中間搬送ローラ前後で記録媒体をガイドする第３の給紙部記録媒体搬送ガイドと搬送部記録媒体搬送ガイドは中間搬送ローラの近傍で直線状である。さらに、中間搬送ローラは主搬送ローラや第１及び第２の給紙部搬送ローラよりも記録媒体の幅方向中心に近い位置で記録媒体と接触する。したがって、中間搬送ローラの近傍で記録媒体の撓みを形成する領域が多く確保され、斜行矯正が可能になる。特許文献１のようにＵ字状に湾曲した搬送経路上に予め可動のスペースを確保する必要がないため、装置のコンパクト化が可能となる。
【００１２】
本発明では、多段給紙構成及びＵターンガイド部を有し、かつコンパクトな記録装置を提供することができる。
【図面の簡単な説明】
【００１３】
【図１】記録装置の本体断面図である。
【図２】記録装置の第１の記録媒体積載部からの給紙動作を示す図である。
【図３】記録装置の第２の記録媒体積載部からの給紙動作を示す図である。
【図４】記録装置における両面記録時の裏面搬送動作を示す図である。
【図５Ａ】記録装置における給紙時の記録媒体の動きを示す図である。
【図５Ｂ】記録装置における給紙時の記録媒体の動きを示す図である。
【図５Ｃ】記録装置における給紙時の記録媒体の動きを示す図である。
【図５Ｄ】記録装置における給紙時の記録媒体の動きを示す図である。
【図５Ｅ】記録装置における給紙時の記録媒体の動きを示す図である。
【発明を実施するための形態】
【００１４】
以下に本発明の実施の形態を添付図面に基づいて説明する。
【００１５】
図１において、インクジェット記録ヘッド１により記録媒体に画像の記録が行われる記録部の搬送方向上流に主搬送ローラ２が位置し、主搬送ピンチローラ３は主搬送ローラ２に圧接されてニップ部を形成し、そのニップ部で記録媒体に対して搬送力を発生する。排紙ローラ４は記録部で記録された記録媒体を記録部から排出し、排紙従動ローラ５は排紙ローラに圧接して記録媒体の搬送力を発生させる。第１の記録媒体積載部６及び第２の記録媒体積載部７はそれぞれ記録媒体８、９を積載する。
【００１６】
第１の積載部給紙ローラ１０は第１の記録媒体積載部６に積載された記録媒体８を給紙し、分離部材１１は第１の積載部給紙ローラ１０により給紙された記録媒体８を他の記録媒体から分離する。第１の給紙部搬送ローラ１２は第１の積載部給紙ローラ１０により給紙された記録媒体８の先端を捕捉し搬送を行い、第１の給紙部搬送ピンチローラ１３は第１の給紙部搬送ローラ１２に圧接し記録媒体の搬送力を発生させる。中間搬送ローラ１４は第１の給紙部搬送ローラ１２から搬送された記録媒体８の先端を捕捉し主搬送ローラ２の方向に搬送し、中間搬送ピンチローラ１５は中間搬送ローラ１４に圧接し記録媒体の搬送力を発生させる。
【００１７】
第２の積載部給紙ローラ１６は第２の記録媒体積載部７に積載された記録媒体９を給紙し、分離部材１７は第２の積載部給紙ローラ１６により給紙された記録媒体９を他の記録媒体から分離する。第２の給紙部搬送ローラ１８は第２の積載部給紙ローラ１６により給紙された記録媒体９の先端を捕捉し搬送を行い、第２の給紙部搬送ピンチローラ１９は第２の給紙部搬送ローラ１８に圧接し記録媒体９の搬送力を発生させる。可動部材２０は第２の記録媒体積載部７から給紙される記録媒体９の先端により開閉される。
【００１８】
第１の給紙部記録媒体搬送ガイド２１は第１の給紙部搬送ローラ１２により搬送される記録媒体８の先端を中間搬送ローラ１４までガイドする。第２の給紙部記録媒体搬送ガイド２２は第２の給紙部搬送ローラ１８により搬送される記録媒体９の先端を中間搬送ローラ１４までガイドする。記録媒体逆転搬送ガイド２３は主搬送ローラ２により記録時搬送方向とは逆向きに記録媒体８、９を搬送する時に、記録媒体８、９を第２の給紙部搬送ローラ１８までガイドする。搬送部記録媒体搬送ガイド２４は中間搬送ローラ１４から主搬送ローラ２まで記録媒体８、９をガイドする。
【００１９】
主搬送ローラ２は、記録媒体８、９と接触し記録媒体の搬送力を発生させる微小なセラミック粒を金属軸上に付着させた所謂セラミックローラである。中間搬送ローラ１４、第１の給紙部搬送ローラ１２、及び第２の給紙部搬送ローラ１８は、記録媒体８、９に接触し搬送力を発生させるためゴム玉を金属軸上に組み立てた所謂ゴムローラである。主搬送２、中間搬送ローラ１４、及び第１の給紙部搬送ローラ１２の各ローラ、及び各ローラの搬送機能を持つセラミック付着部、ゴム部の配置を図５Ａに示す。
【００２０】
第１の給紙部搬送ローラ１２は、記録媒体幅方向に均等に４つ配置され、記録媒体８に接触し記録媒体８に搬送力を発生させるゴム部１２ａを持つ。４つのゴム部１２ａは図５Ａに示すように記録媒体８の中心線８ｃに関して線対称に配置される。それぞれのゴム部１２ａに対向して配置された第１の給紙部搬送ピンチローラ１３により記録媒体８をゴム部に圧接することにより、記録媒体８への搬送力を発生させる。ゴム部を分割して記録媒体幅方向に均等に配置し、各ゴム部１２ａに対して第１の給紙部搬送ピンチローラ１３を個別に圧接するようにしているのは、記録媒体幅方向の各部分で圧接力を均等にし、均等な搬送力を発生させるためである。
【００２１】
第１の給紙部搬送ローラ１２により搬送された記録媒体８を受け取る中間搬送ローラ１４は２つのゴム部１４ａを持つ。ゴム部１４ａは記録媒体８の記録媒体幅方向中心８ｃの近傍に線対称配置されている。そして、それぞれのゴム部１４ａに対して中間搬送ピンチローラ１５を配置している。ゴム部１４ａを記録媒体幅中心８ｃの近傍に配置しているのは、記録媒体の幅方向端部近傍のローラによる拘束を無くし、端部近傍の記録媒体が自由に動ける領域を確保するためである。
【００２２】
中間搬送ローラ１４により搬送された記録媒体８を受け取る主搬送ローラ２は記録媒体幅方向全域に搬送力を発生させる微小なセラミック粒を付着させた領域２ａを持つ。
【００２３】
第２の給紙部搬送ローラ１８、及び第２の給紙部搬送ピンチローラ１９の記録媒体幅方向の配置は、第１の給紙部搬送ローラ１８、及び第１の給紙部搬送ピンチローラと同様に記録媒体幅方向に均等に搬送力を発生させるようにゴム部等を配置している。
【００２４】
第１の給紙部搬送ローラ１２及び第２の給紙部搬送ローラ１８の記録媒体搬送速度は、中間搬送ローラ１４の搬送速度に対して遅くなるように、ローラ径及び駆動系が設定されている。また、中間搬送ローラ１４と主搬送ローラ２とは搬送速度が等速となるように、ローラ径及び駆動系が設定されている。
【００２５】
第１の給紙部記録媒体搬送ガイド２１は、第１の給紙部搬送ローラ１２により搬送された記録媒体８を中間搬送ローラ１４方向へガイドする。第２の給紙部記録媒体搬送ガイド２２は、第２の給紙部搬送ローラ１８により搬送された記録媒体９を中間搬送ローラ１４方向へガイドする。図１に示すように第１の給紙部記録媒体搬送ガイド２１と第２の給紙部記録媒体搬送ガイド２２は同一方向に湾曲している。その湾曲によって、第１及び第２の給紙部搬送ローラ１２、１８から搬送された記録媒体８、９は第１及び第２の給紙部記録媒体搬送ガイド２１、２２にガイドされ、水平方向逆向きの中間搬送ローラ１４に搬送される。また第１の給紙部記録媒体搬送ガイド２１と第２の給紙部記録媒体搬送ガイド２２とは、中間搬送ローラ１４の手前で合流して第３の給紙部記録媒体搬送ガイド２５を形成している。合流点から搬送方向下流方向のガイド形状はほぼ直線状であり、中間搬送ローラ１４をまたいだ搬送部記録媒体搬送ガイド２４の中間搬送ローラ１４近辺のガイド形状もその方向で直線状になっている。このことにより、中間搬送ローラ近傍では、記録媒体８、９が自由に動ける空間が確保されている。
【００２６】
記録媒体逆転搬送ガイド２３は主搬送ローラ２により記録媒体８、９が記録時の搬送方向とは逆向きに搬送されるときに、記録媒体８、９を第２の給紙部搬送ローラ１８まで導くものである。
【００２７】
第２の給紙部搬送ローラの手前には可動部材２０が設けられており、記録媒体逆転搬送ガイド２３により導かれた記録媒体８、９のガイド部材となっている。ガイド部材は、第２の記録媒体積載部７から記録媒体９が第２の積載部給紙ローラ１６により給紙される際は、記録媒体９の先端に押され記録媒体搬送路が開く方向に動き、記録媒体９は第２の給紙部搬送ローラ１８に捕捉される。
【００２８】
第１の記録媒体積載部６に積載された記録媒体８を給紙し主搬送ローラ２まで搬送する動作を図２及び図５Ｂ−Ｅを用いて説明する。
【００２９】
記録装置が第１の記録媒体積載部６に積載された記録媒体８を使用した記録をスタートすると、不図示の制御部、駆動モータ、及び駆動伝達系により第１の積載部給紙ローラ１０が駆動される。第１の積載部給紙ローラ１０により記録媒体８の最上位の記録媒体８ａが第１の給紙部搬送ローラ１２の方向に給紙される。記録媒体８ａは途中分離部材１１により１枚だけ分離され、その先端が第１の給紙部搬送ローラ１２と第１の給紙部搬送ピンチローラ１３のニップ部に侵入し捕捉される。その後第１の給紙部搬送ローラの搬送力により記録媒体８ａは搬送される（図２（ａ））。
【００３０】
記録媒体８ａは、第１の給紙部搬送ガイド２１に案内されながら、第１の給紙部搬送ローラ１２により搬送される。第１の給紙部搬送ガイド２１は前述のとおり湾曲しているため、記録媒体８ａは第１の給紙部搬送ガイド２１の外側のガイド面に近いところを通りながら搬送され、中間搬送ローラ１４に到達する（図２（ｂ））。
【００３１】
中間搬送ローラ１４に記録媒体８ａの先端が到達し、記録媒体８ａが中間搬送ローラ１４でも搬送されるようになると、記録媒体８ａは第１の給紙部搬送ローラ１２と中間搬送ローラとで搬送されるようになる（図５Ｂ）。この時、前述の通り、第１の給紙部搬送ローラ１２の搬送速度は中間搬送ローラ１４の搬送速度より遅い。したがって、第１の給紙部搬送ローラ１２より送り込まれる記録媒体の量より中間搬送ローラ１４により送り出される記録媒体の量が多い。そのため、図２（ｂ）で示したように第１の給紙部記録媒体搬送ガイド２１の外側ガイド２１ａに近いところを通っていた記録媒体８ａは、先端が主搬送ローラ２に近づくに従って次第に第１の給紙部搬送ガイド２１の内側のガイド２１ｂの近くを通るようになる。その後、記録媒体８ａの先端は主搬送ローラ２と主搬送ピンチローラ３の圧接部で形成されるニップ線２ｃを通過する。この時記録媒体８ａの先端は主搬送ローラ２のニップ線２ｃに対して、傾きをもっている場合がある（図２（ｃ）、図５Ｃ）。
【００３２】
中間搬送ローラ１４と主搬送ローラ２との間には記録媒体８ａの先端、および後端を検知する不図示の記録媒体端部センサーが設けられており、これ以降の記録媒体８ａの搬送量は制御部（不図示）により、管理される。
【００３３】
記録媒体８ａの先端が主搬送ローラ２のニップ線を通過後、所定量搬送されると、第１の給紙部搬送ローラ１２及び中間搬送ローラ１４は搬送を停止し、主搬送ローラ２は搬送方向とは逆向きに回転する。主搬送ローラ２が逆向きに回転することにより、記録媒体８ａの先端は、主搬送ローラ２と主搬送ピンチローラ３の圧接部で形成されるニップ線２ｃから吐き出される。第１の給紙部搬送ローラ１２及び中間搬送ローラ１４は停止しているため、先端が戻された記録媒体８ａは主搬送ローラ２と中間搬送ローラ１４の間で、図５（ｄ）の８ｂのような撓みを形成する。その撓んでいる記録媒体８ａの剛性で発生する力により記録媒体８ａの先端は主搬送ローラ２のニップ線２ｃに倣い、斜行矯正をすることが出来る（図２（ｄ）、図５Ｄ）。
【００３４】
斜行矯正を機能させるためには、記録媒体８ａの先端が主搬送ローラ２のニップ線２ｃに噛みこまれた後、記録媒体８ａの先端が左右ともニップ線２ｃまで戻されることが必要である。また、戻されたときに記録媒体８ａの上流側を押える中間搬送ローラ１４と第１の給紙部搬送ローラ１２との間の空間が、戻された量により適正な撓みを形成する空間であることが必要である。斜行して記録媒体８ａ先端の進み具合が左右で大きく異なるものに対して斜行矯正を有効に機能させる、即ち斜行矯正の性能を向上させるためには、記録媒体８ａの撓みが形成できる空間を大きくすることが必要である。
【００３５】
前述の通り、中間搬送ローラ１４は記録媒体８ａを搬送するゴム部１４ａが記録媒体８ａの幅方向中心線８ｃの近傍に存在している。また、中間搬送ローラ１４近傍の第３の給紙部記録媒体搬送ガイド２５と搬送部記録媒体搬送ガイド２４は略ストレート形状で形成されている。さらに、第１の給紙部記録媒体搬送ガイド２１の屈曲部において、記録媒体８ａは内側のガイド面２１ｂの近傍に存在しているため、内側のガイド面２１ｂから外側のガイド面２１ａまでの空間を撓み形成に使用可能である。これらのことから、記録媒体８ａの斜行矯正を実現するための撓みを形成するのに必要十分な空間を、中間搬送ローラ１４の近傍において確保できていることがわかる。
【００３６】
主搬送ローラ２のニップ線２ｃに記録媒体８ａの先端がならった後、第１の給紙部搬送ローラ１２、中間搬送ローラ１４、及び主搬送ローラ２は搬送方向に回転し、斜行矯正後の記録媒体８ａを搬送する（図５Ｅ）。
【００３７】
次に、第２の記録媒体積載部７に積載された記録媒体９を給紙し主搬送ローラ２まで搬送する動作を図３を用いて説明する。ここで記録媒体９は、その搬送方向の長さが第２の給紙部搬送ローラ１８から主搬送ローラ２までの搬送長より短いものとする。
【００３８】
記録装置が第２の記録媒体積載部７に積載された記録媒体９を使用した記録をスタートすると、不図示の制御部、駆動モータ、及び駆動伝達系により第２の積載部給紙ローラ１６が駆動される。第２の積載部給紙ローラ１６により、記録媒体９の最上位の記録媒体９ａが第２の給紙部搬送ローラ１８の方向に給紙される。記録媒体９ａは途中分離部材１７により１枚だけ分離され、その先端が第２の給紙部搬送ローラ１８と第２の給紙部搬送ピンチローラ１９のニップ部に侵入し捕捉される。その後、第２の給紙部搬送ローラ１８の搬送力により記録媒体９ａは搬送される（図３（ａ））。
【００３９】
記録媒体９ａは、第２の給紙部搬送ガイド２２に案内されながら、第２の給紙部搬送ローラ１８により搬送される。第２の給紙部搬送ガイド２２は前述のとおり湾曲しているため、記録媒体９ａは第２の給紙部搬送ガイド２２の外側のガイド面に近いところを通りながら搬送され、中間搬送ローラ１４に到達する（図３（ｂ））。
【００４０】
記録媒体９ａは中間搬送ローラ１４により、主搬送ローラ２に向かって搬送される。記録媒体９ａの先端が主搬送ローラ２に到達した時点では記録媒体９ａの後端は第２の給紙部搬送ローラ１８と第２の給紙部搬送ピンチローラ１９によるニップ部を抜けている（図３（ｃ））。
【００４１】
その後、第１の記録媒体積載部６から主搬送ローラ２までの記録媒体８ａの給紙搬送に関して前述したのと同様にして、斜行矯正動作を実施する。この時、前述の第１の記録媒体積載部６からの記録媒体８ａの給紙で説明したのとは異なる点は、今回は給紙部搬送ローラ１８に記録媒体９ａは噛んでおらず、記録媒体９ａの拘束を行う要素がより少ないことである。前述のように中間搬送ローラ１４は記録媒体９ａの記録媒体幅中心近傍を拘束しているだけであり、また、中間搬送ローラ１４の近傍の第３の給紙部記録媒体搬送ガイド２５と搬送部記録媒体搬送ガイド２４は略ストレート形状で形成されている。このことから中間搬送ローラ１４近傍で記録媒体９ａが撓みを形成するのに必要な空間が多く確保されており、記録媒体９ａを拘束する要素が少ない分、斜行矯正を機能させるために必要な撓みを形成しやすく、良好な斜行矯正を行う事が出来る。
【００４２】
次に記録媒体逆転搬送ガイド２３を使用した両面記録について、第１の記録媒体積載部６から給紙搬送された記録媒体８ａの表（おもて）面記録後に表裏を反転させて裏面を記録する動作を図４を用いて説明する。
【００４３】
表面記録と区別するため、記録媒体８ａの表面記録後の記録媒体を８ｂと表記する。
【００４４】
表面記録終了後、記録媒体８ｂは主搬送ローラ２により表面記録動作時の搬送方向とは逆方向に搬送される。記録媒体８ｂの先端（記録媒体８ａにおける後端）は記録媒体逆転搬送ガイド２３にガイドされ第２の給紙部搬送ローラ１８に到達する。第２の給紙部搬送ローラ１８及び中間搬送ローラ１４は、記録媒体８ｂを主搬送ローラ２の方向に搬送するように回転している。記録媒体８ｂの先端は第２の給紙部搬送ローラ１８と第２の給紙部搬送ピンチローラ１９とのニップに捕捉され、中間搬送ローラ１４に向かって搬送される（図４（ａ））。
【００４５】
第２の給紙部搬送ガイド２２は前述のとおり湾曲しているため、記録媒体８ｂは第２の給紙部搬送ガイド２２の外側のガイド面２２ａに近いところを通りながら中間搬送ローラ１４に到達する。記録媒体８ｂが中間搬送ローラ１４に到達すると、中間搬送ローラ１４と中間搬送ピンチローラ１５とのニップに捕捉され、第２の給紙部搬送ローラ１８と中間搬送ローラ１４の搬送力により搬送される（図４（ｂ））。
【００４６】
前述のように第２の給紙部搬送ローラ１８の搬送速度は中間搬送ローラ１４の搬送速度より遅くなるようにローラ径及び駆動系が設定されている。このことにより第２の給紙部搬送ローラ１８により送り込まれる記録媒体８ｂの長さより中間搬送ローラ１４により送り出される記録媒体８ｂの長さの方が長くなる。図４（ｂ）で示したように第２の給紙部記録媒体搬送ガイド２２の外側ガイド２２ａに近いところを通っていた記録媒体８ｂは、先端が主搬送ローラ２に近づくに従って次第に第２の給紙部搬送ガイド２２の内側のガイド２２ｂの近くを通るようになる。その後、記録媒体８ｂの先端は主搬送ローラ２に到達する（図４（ｃ））。
【００４７】
第１の記録媒体積載部６から主搬送ローラ２までの記録媒体８ａの給紙搬送に関して前述したのと同様にして、斜行矯正動作を実施する。斜行補正をした状態で記録媒体８ｂを主搬送ローラ２と主搬送ピンチローラ３で捕捉し搬送を行い、裏面印刷を行う（図４（ｄ））。
【００４８】
以上述べたように、本提案に則った実施形態においては、斜行矯正のための部品を増やすことなく、良好な斜行矯正機能を実現することが出来る。また部品を増やすことなく実現できることから、製品もコンパクトにすることが出来る。
【符号の説明】
【００４９】
２      主搬送ローラ
１２    第１の給紙部搬送ローラ
１４    中間搬送ローラ
１８    第２の給紙部搬送ローラ
【図１】
2014047069.tif 000003
【図２】
2014047069.tif 000004
【図３】
2014047069.tif 000005
【図４】
2014047069.tif 000006
【図５Ａ】
2014047069.tif 000007
【図５Ｂ】
2014047069.tif 000008
【図５Ｃ】
2014047069.tif 000009
【図５Ｄ】
2014047069.tif 000010
【図５Ｅ】
2014047069.tif 000011